(57)【要約】  梱包ボックスが設けられている。梱包ボックスは、連続した梱包ブランクから形成される。梱包ボックスは、開口可能端部及び閉口端部を有する。梱包ボックスは内部区画を有する。内部区画は、製品を収容するための第１の空間を画定する。梱包ボックスは外側カバーを有する。外側カバーは、内部区画を収容するための第２の空間を画定する。梱包ボックスには連結部材が設けられている。連結部材は、内部区画を外側カバーと連結する。内部区画は、第２の空間内に配置される。内部区画は、閉じた第１の状態と開いた第２の状態との間で摺動するように構成される。閉じた第１の状態では、内部区画は実質的に外側カバー内に収容される。開いた第２の状態では、内部区画は、開口可能端部上の外側カバーを部分的に越えて延在する。連結部材は、内部区画が外側カバーから完全に取り外されることを防止するように配置される。
2018521920.tif 000002
【特許請求の範囲】
【請求項１】
連続した梱包ブランクから形成された梱包ボックスであって、前記梱包ボックスは、開口可能端部と閉口端部とを有し、
製品を収容するための第１の空間を画定する内部区画と、
前記内部区画を収容するために第２の空間を画定する外側カバーと、
内部区画と外側カバーとを連結する連結部材と、
を備え、
前記内部区画は前記第２の空間内に配置され、
前記内部区画が、前記外側カバー内に実質的に収容された閉じた第１の状態と、前記内部区画が前記開口可能端部上で前記外側カバーを部分的に通過して延在する開いた第２の状態と、の間で滑動するように構成され、かつ、
前記連結部材は、前記内部区画が外側カバーから完全に取り外されるのを防止するように構成されることを特徴とする梱包ボックス。
【請求項２】
前記内部区画が、
前記連続した梱包ブランクのパネルの第１の端部分と、
前記第１の端部分の両側に配置され、それぞれがそれぞれの折り曲げ線によって第１の端部分に連結された、前記連続した梱包ブランクの第１のトップパネル及び前記連続した梱包ブランクの第１のボトムパネルと、
前記第１のトップパネルと前記第１のボトムパネルそれぞれとそれぞれの折り曲げ線によってそれぞれ連結されている、前記連続した梱包ブランクの第１のトップパネルタブ及び前記連続した梱包ブランクの第１のボトムパネルタブと、
を備え、
前記第１のトップパネルタブと前記第１のボトムパネルタブとが互いに係合される、請求項１に記載の梱包ボックス。
【請求項３】
前記内部区画は、前記梱包ボックスの前記開口可能端部と前記閉口端部とに開口可能端部を有する、請求項１または２に記載の梱包ボックス。
【請求項４】
前記連結部材は、前記開口可能端部で前記第１のトップパネルの縁部に当接せず、これにより開口部を画定する、請求項２または３に記載の梱包ボックス。
【請求項５】
前記開口可能端部上の前記第１のトップパネル及び前記第１のボトムパネルの縁部は、互いに整列されていない、請求項２、３または４に記載の梱包ボックス。
【請求項６】
前記開口可能端部の前記第１のトップパネルの縁部は凹形状であり、前記開口可能端部の前記第１のボトムパネルの縁部は凸形状である、請求項５に記載の梱包ボックス。
【請求項７】
前記凹形状及び前記凸形状は半円形である、請求項６に記載の梱包ボックス。
【請求項８】
前記連結部材は、前記開口可能端部で前記第１のボトムパネルの縁部に当接し、前記開口可能端部で前記第１のトップパネルの縁部に当接せず、これにより開口部を画定する、請求項２〜７のいずれか一項に記載の梱包ボックス。
【請求項９】
前記連結部材は、前記開口可能端部上の前記第１のボトムパネルの縁部の長さ、前記第１のボトムパネルタブの縁部と前記第１のボトムパネルとの間の折り曲げ線の長さ、及び、前記閉口端部上の前記第１のボトムパネルの縁部の長さの合計と等しい、前記内部区画と前記連結部材との間の連結部と前記外側カバーと前記連結部材との間の連結部とからの長さを有する、請求項２〜８のいずれか一項に記載の梱包ボックス。
【請求項１０】
前記外側カバーは、
前記連続した梱包ブランクのパネルの第２の端部分と、
前記第２の端部分の両側に配置され、それぞれがそれぞれの折り曲げ線によって前記第２の端部分と連結されている、前記連続した梱包ブランクの第２のトップパネル及び前記連続した梱包ブランクの第２のボトムパネルと、
前記第２のトップパネルと前記第２のボトムパネルそれぞれとそれぞれの折り曲げ線によってそれぞれ連結されている、前記連続した梱包ブランクの第２のトップパネルタブ及び前記連続した梱包ブランクの第２のボトムパネルタブと、
を備え、
前記第２のトップパネルタブと前記第２のボトムパネルタブとが互いに係合される、請求項１〜９のいずれか一項に記載の梱包ボックス。
【請求項１１】
前記外側カバーは、
前記連続した梱包ブランクのパネルの第２の端部分；
前記第２の端部分の両側に配置され、それぞれがそれぞれの折り曲げ線によって前記第２の端部分と連結されている、前記連続した梱包ブランクの第２のトップパネル及び前記連続した梱包ブランクの第２のボトムパネル；及び、
前記第２のトップパネルと前記第２のボトムパネルそれぞれとそれぞれの折り曲げ線によってそれぞれ連結されている、前記連続した梱包ブランクの第２のトップパネルタブ及び前記連続した梱包ブランクの第２のボトムパネルタブ；
を備え、
前記第２のトップパネルタブと前記第２のボトムパネルタブとが互いに係合し、
前記開口可能端部上の前記第２のトップパネル及び前記第１のボトムパネルの縁部は、相互に揃えられている、請求項２〜９のいずれか一項に記載の梱包ボックス。
【請求項１２】
前記第１のボトムパネル、前記第２のトップパネル、及び、前記第２のボトムパネルは、同一の形状である、請求項１１に記載の梱包ボックス。
【請求項１３】
前記外側カバーは、前記梱包ボックスの前記開口可能端部及び前記閉口端部に開口端部を有する、請求項１０〜１２のいずれか１項に記載の梱包ボックス。
【請求項１４】
前記連結部材は、前記第１の端部分に隣接しかつ前記第２の端部分に隣接する前記連続した梱包ブランクのパネルの中央部分として形成される、請求項１１〜１３のいずれか一項に記載の梱包ボックス。
【請求項１５】
前記連結部材は、開閉可能な側の前記第１の端部分に連結され、かつ、閉口側の前記第２の端部分に連結される、請求項１４に記載の梱包ボックス。
【請求項１６】
前記梱包ボックスは、前端部と後端部とを有し、前記連結部材は、前記後端部の前記内部区画に連結され、かつ、前記後端部の前記外側カバーと連結する、請求項１〜１５のいずれか一項に記載の梱包ボックス。
【請求項１７】
前記連結部材は、前記前端部の前記内部区画と前記前端部の前記外側カバーとの間で行き来する、請求項１６に記載の梱包ボックス。
【請求項１８】
前記連結部材は、前記閉口端部で湾曲するように構成されている、請求項１〜１７のいずれか一項に記載の梱包ボックス。
【請求項１９】
前記中央部分が弾性的に湾曲可能である、請求項１〜１８のいずれか一項に記載の梱包ボックス。
【請求項２０】
前記内部区画と前記連結部材との間の連結部と、前記外側カバーと前記連結部材との間の連結部と、からの連結部材の長さは、前記閉口端部から前記開口可能端部までの前記内部区画の長さと、前記閉口端部と前記開口可能端部を結合する線に垂直な方向における前記内部区画の幅の２倍長さと、の合計と少なくとも等しい、請求項１〜１９のいずれか一項に記載の梱包ボックス。
【請求項２１】
梱包ボックスを形成するための連続した梱包ブランクであって、
第１の方向に対して順に配置された第１の端部分、中央部分、及び、第２の端部分を有するパネル；
前記第１の端部分の両側に配置され、それぞれがそれぞれの折り曲げ線によって前記第１の端部分と連結された、第１のトップパネル及び第１のボトムパネルであって、前記第１のトップパネルと前記第１のボトムパネルそれぞれは、前記第１の方向に垂直な第２の方向に対して、それぞれの折り曲げ線から離れるように延在する、第１のトップパネル及び第１のボトムパネル；
それぞれの折り曲げ線によって前記第１のトップパネル及び前記第１のボトムパネルそれぞれと連結されている第１のトップパネルタブ及び第１のボトムパネルタブであって、前記第１のトップパネルタブ及び前記第１のボトムパネルタブそれぞれは、前記第２の方向に対してそれぞれの折り曲げ線から離れるように延在する、第１のトップパネルタブ及び第１のボトムパネルタブ；
前記第２の端部分の両側に配置され、それぞれがそれぞれの折り曲げ線によって前記第２の端部分と連結された、第２のトップパネル及び第２のボトムパネルであって、前記第２のトップパネルと前記第２のボトムパネルそれぞれは、前記第２の方向に対してそれぞれの折り曲げ線から離れるように延在する、第２のトップパネル及び第２のボトムパネル；及び、
それぞれの折り曲げ線によって前記第２のトップパネル及び前記第２のボトムパネルそれぞれと連結されている第２のトップパネルタブ及び第２のボトムパネルタブであって、前記第２のトップパネルタブ及び前記第２のボトムパネルタブそれぞれは、前記第２の方向に沿ってそれぞれの折り曲げ線から離れるように延在する、第１のトップパネルタブ及び第１のボトムパネルタブ；
を備え、
前記第１の方向における前記パネルの長さは、第１のボトムパネルと第１の端部分との間の折り曲げ線の長さ、前記第２の方向における前記第１のボトムパネルの幅の２倍の長さ、及び、前記第１のボトムパネルタブと前記第１のボトムパネルとの間の折り曲げ線の長さの合計より大きいことを特徴とする連続した梱包ブランク。
【請求項２２】
前記第１の方向における前記パネルの長さは、前記第１のボトムパネルと前記第１の端部分との間の折り曲げ線の長さの２倍の長さ、前記第２の方向における前記第１のボトムパネルの幅の２倍の長さ、及び、前記第１のボトムパネルタブと前記第１のボトムパネルとの間の折り曲げ線の長さの合計以上である、請求項２１に記載の連続した梱包ブランク。
【請求項２３】
前記第１のボトムパネルタブと前記第１のボトムパネルとの間の折り曲げ線は、前記第１のボトムパネルと前記第１の端部分との間の折り曲げ線と同一の長さであり、第１の方向における前記パネルの長さは、前記第１のボトムパネルと前記第１の端部分との間の折り曲げ線の３倍の長さと、前記第２の方向における前記第１のボトムパネルの幅の２倍の長さと、の合計以上である、請求項２１または２２に記載の連続した梱包ブランク。
【請求項２４】
前記第１の方向における前記パネルの長さは、前記第１のボトムパネルの周囲長と、前記第１のボトムパネルと前記第１の端部分との間の折り曲げ線の長さと、の合計以下である、請求項２１、２２または２３に記載の連続した梱包ブランク。
【請求項２５】
前記第２の方向における前記第１のトップパネルタブ及び前記第１のボトムパネルタブの幅の合計は、前記第２の方向における前記パネルの幅に少なくとも等しい、請求項２１〜２４のいずれか一項に記載の連続した梱包ブランク。
【請求項２６】
前記第２の方向における前記第２のトップパネルタブ及び前記第２のボトムパネルタブの幅の合計は、前記第２の方向における前記パネルの幅に少なくとも等しい、請求項２１〜２５のいずれか一項に記載の連続した梱包ブランク。
【請求項２７】
前記第１のトップパネルタブの長さと前記第１の方向における前記第１のボトムパネルタブの長さとは同一である、請求項２１〜２６のいずれか一項に記載の連続した梱包ブランク。
【請求項２８】
前記第２のトップパネルタブの長さと前記第１の方向における前記第２のボトムパネルタブの長さは同一である、請求項２１〜２７のいずれか一項に記載の連続した梱包ブランク。
【請求項２９】
前記第１のボトムパネル、前記第２のトップパネル、及び。前記第２のボトムパネルは、同一の形状である、請求項２１〜２８のいずれか一項に記載の連続した梱包ブランク。
【請求項３０】
前記第１のボトムパネルと前記第１の端部分との間の折り曲げ線の長さ、前記第１のボトムパネルタブと前記第１のボトムパネルとの間の折り曲げ線の長さ、前記第２のボトムパネルと前記第２の端部分との間の折り曲げ線の長さ、及び、前記第２のボトムパネルタブと前記第２のボトムパネルとの間の折り曲げ線の長さは、同一である、請求項２１〜２９のいずれか一項に記載の連続した梱包ブランク。
【請求項３１】
前記パネルは、前記第１の方向に関して順に配置された第１の半体及び第２の半体を有し、前記第１の半体は、前記第１の端部分を有する前記パネルの半分に相当し、前記第２の半体は、前記第２の端部分を有する前記パネルの半分に相当し、前記第２の半体は、前記第２の方向に延在する折り曲げ線を一切有さない、請求項２１〜３０のいずれか一項に記載の連続した梱包ブランク。
【請求項３２】
前記パネルは、前記第２の方向に延在する折り曲げ線を一切有さない、請求項２１〜３１のいずれか一項に記載の連続した梱包ブランク。
【請求項３３】
前記パネルは、第１の方向に関して順に配置された第１の半体及び第２の半体を有し、前記第１の半体は、前記第１の端部分を有する前記パネルの半分に相当し、前記第２の半体は、前記第１の端部分を有する前記パネルの半分に相当し、前記第１の半体は、前記第２の方向に延在する１つ以上の折り曲げ線を有する、請求項２１〜３１のいずれか一項に記載の連続した梱包ブランク。
【請求項３４】
前記中央部分に向く、前記第１のトップパネルの縁部と前記第１のボトムパネルの縁部とは、互いに整列されていない、請求項２１〜３３のいずれか一項に記載の連続した梱包ブランク。
【請求項３５】
前記中央部分から外方に向く、前記第１のトップパネルの縁部と前記第１のボトムパネルの縁部とは、互いに整列されている、請求項２１〜３４のいずれか一項に記載の連続した梱包ブランク。
【請求項３６】
前記中央部分から外方に向く、前記第２のトップパネルの縁部と前記第２のボトムパネルの縁部とは、互いに整列されている、請求項２１〜３５のいずれか一項に記載の連続した梱包ブランク。
【請求項３７】
前記中央部分に向く、前記第２のトップパネルの縁部と前記第２のボトムパネルの縁部とは、互いに整列されている、請求項２１〜３６のいずれか一項に記載の連続した梱包ブランク。
【請求項３８】
前記中央部分に向く前記第１のボトムパネルの縁部は凹形状であり、前記中央部分に向く前記第１のトップパネルの縁部は凸形状である、請求項２１〜３７のいずれか一項に記載の連続した梱包ブランク。
【請求項３９】
前記凹形状及び凸形状は半円形である、請求項３８に記載の連続した梱包ブランク。
【請求項４０】
前記第１のトップパネルタブ及び前記第１のボトムパネルタブは、互いに係合可能な形状であり、前記第２のトップパネルタブ及び前記第２のボトムパネルタブは、互いに係合可能な形状である、請求項２１〜３９のいずれか一項に記載の連続した梱包ブランク。
【請求項４１】
前記第１のトップパネルタブ及び前記第１のボトムパネルタブの前記第２の方向における折り曲げ線に対向する縁部は、相互に噛合するような形状である、請求項２１〜４０のいずれか一項に記載の連続した梱包ブランク。
【請求項４２】
前記パネルは前記第１の方向に細長い、請求項２１〜４１のいずれか一項に記載の連続した梱包ブランク。
【請求項４３】
前記第１の方向における前記パネルの長さは、前記第２の方向における前記パネルの幅の２倍以上である、請求項２１〜４２のいずれか一項に記載の連続した梱包ブランク。
【請求項４４】
前記第１の方向における前記パネルの長さは、前記第２の方向における前記パネルの幅の３倍である、請求項２１〜４３のいずれか一項に記載の連続した梱包ブランク。
【請求項４５】
前記第１のトップパネル、前記第１のボトムパネル、前記第２のトップパネル、及び、前記第２のボトムパネルは、前記第１の方向に細長い、請求項２１〜４４のいずれか一項に記載の連続した梱包ブランク。
【請求項４６】
前記第１の方向における、前記第１のトップパネルの長さ、前記第１のボトムパネルの長さ、前記第２のトップパネルの長さ、及び、前記第２のボトムパネルの長さは、それぞれ、前記第２の方向における、前記第１のトップパネルの幅、前記第１のボトムパネルの幅、前記第２のトップパネルの幅、及び、前記第２のボトムパネルの幅の２倍の以上である、請求項２１〜４５のいずれか一項に記載の連続した梱包ブランク。
【請求項４７】
前記第１の方向における前記中央部分の長さは、前記中央部分に向く前記第１のボトムパネルの縁部の長さ、前記第１のボトムパネルタブと前記第１のボトムパネルとの間の折り曲げ線の長さ、及び、前記中央部分から外方に向く前記第１のボトムパネルの縁部の長さの合計と等しい、請求項２１〜４６のいずれか一項に記載の連続した梱包ブランク。
【請求項４８】
請求項２１〜４７のいずれか一項に記載の連続した梱包ブランクから梱包ボックスを形成する方法であって、
前記第１のトップパネルタブと前記第１のボトムパネルタブとを係合させることによって内部区画を形成するステップ；
前記第２の端部分が前記第１の端部分に当接するように前記内部区画の周りに前記中央部分及び前記第２の端部分を巻くステップ；及び、
第２のトップパネルタブと第２のボトムパネルタブを係合させることによって内部区画を包囲する外側カバーを形成するステップ；
を備える方法。
【請求項４９】
前記内部区画を形成するステップは、
第１のトップパネルと第１の端部との間の折り曲げ線に沿って、かつ、第１のボトムパネルと第１の端部との間の折り曲げ線に沿って折り曲げるステップ；及び、
第１のトップパネルタブと第１のトップパネルとの間の折り曲げ線に沿って、かつ、第１のボトムパネルタブと第１のボトムパネルとの間の折り曲げ線に沿って折り曲げるステップ；
をさらに備える、請求項４８に記載の方法。
【請求項５０】
前記外側カバーを形成するステップは、
第２のトップパネルと第２の端部との間の折り曲げ線に沿って、かつ、第２のボトムパネルと第２の端部との間の折り曲げ線に沿って折り曲げるステップ；及び、
第２のトップパネルタブと第２のトップパネルとの間の折り曲げ線に沿って、かつ、第２のボトムパネルタブと第２のボトムパネルとの間の折り曲げ線に沿って折り曲げるステップ；
をさらに備える、請求項４８または４９に記載の方法。
【請求項５１】
前記第１のトップパネルタブ及び前記第１のボトムパネルタブの前記第２の方向における前記折り曲げ線に対向する縁部は、互いに噛み合うような形状であり、前記第１のトップパネルタブと前記第１のボトムパネルタブとを係合させるステップは、前記第１のトップパネルタブ及び前記第１のボトムパネルタブの第２の方向における折り曲げ線に対向する縁部を互いに噛合接触させるステップを備える、請求項４８、４９または５０に記載の方法。
【請求項５２】
前記中央部分は、第１の方向に対して順に配置された第１の半体及び第２の半体を有し、前記第１の半体は、前記第１の端部分に隣接する前記中央部分の半分に相当し、前記第２の半体は、前記第２の端部分に隣接する前記中央部分の半分に相当し、前記第２の半体は、前記第２の方向に延在する折り曲げ線を有さず、前記内部区画の周りに前記中央部分を巻くステップは、第２の方向に延在する折り曲げ線に沿って第２の半体を折り曲げるステップを備えない、請求項４８〜５０のいずれか一項に記載の方法。
【請求項５３】
請求項２１〜４７のいずれか一項に記載の連続した梱包ブランクから形成された梱包ボックスに製品を梱包する方法であって、
前記製品を前記第１のボトムパネルまたは前記第１のトップパネル上に配置するステップ；
前記第１のトップパネルタブ及び前記第１のボトムパネルタブを係合させることによって内部区画を形成するステップであって、これにより、前記製品が少なくとも部分的に内部区画内に配置される、ステップ；
前記第２の端部分が前記第１の端部分に当接するように前記内部区画の周りに前記中央部分及び前記第２の端部分を巻くステップ；及び、
前記第２のトップパネルタブ及び前記第２のボトムパネルタブを係合させることによって、内部区画を包囲する外側カバーを形成するステップ；
を備える方法。
【請求項５４】
前記内部区画を形成するステップの間、前記製品が配置される前記第１のボトムパネルまたは前記第１のトップパネルは、水平に保たれる、請求項５３に記載の方法。
【請求項５５】
前記内部区画を形成し、前記中央部分を巻くステップの間に、前記製品が置かれる前記第１のボトムパネルまたは前記第１のトップパネルが水平に保たれる、請求項５３に記載の方法。
【請求項５６】
前記内部区画を形成するステップ、前記中央部分を巻くステップ、前記外側カバーを形成するステップの間、前記製品が置かれる前記第１のボトムパネルまたは前記第１のトップパネルは水平に保たれる、請求項５３に記載の方法。
【請求項５７】
請求項２１〜４７のいずれか一項に記載の連続した梱包ブランクから形成された梱包ボックスに製品を梱包する方法であって、
前記第１のトップパネルタブと前記第１のボトムパネルタブとを係合させることによって内部区画を形成するステップ；
前記製品を少なくとも部分的に前記内部区画内に配置するステップ；
前記第２の端部分が前記第１の端部分に当接するように前記内部区画の周りに前記中央部分及び前記第２の端部分を巻くステップ；及び、
前記第２のトップパネルタブと前記第２のボトムパネルタブとを係合させることによって前記内部区画を包囲する外側カバーを形成するステップ；
を備える方法。
【請求項５８】
前記巻くステップは、２つの段階で実施され、前記製品を少なくとも部分的に前記内部区画内に配置するステップは、前記２つの段階の間に実施される、請求項５７に記載の方法。
【請求項５９】
第１の前記段階は、前記中央部分を前記開口可能端部側に巻くステップを備える、請求項５８に記載の方法。
【発明の詳細な説明】
【技術分野】
【０００１】
本開示は、梱包ボックスに関し、特に、連続する梱包ブランクから形成され、視覚的に魅力的で便利な開梱シーケンスをもたらす梱包ボックスに関する。本発明はまた、梱包ボックスを形成するための連続した梱包ブランク、ブランクを梱包ボックスに形成する方法、梱包ボックスに製品を梱包する方法に関する。
【背景技術】
【０００２】
閉じた状態と開いた状態との間で摺動可能な従来の梱包ボックスは、典型的には、２つの別個のブランクから形成される。そのような梱包ボックスは、製造工程において追加の工程を必要とし、２つの異なるブランクの切断を必要とする。そのような余分なステップは、コストの増加をもたらす。このような従来の梱包ボックスは、視覚的に魅力的ではない開いた位置にあるとき、閉口側に大きな隙間を生じ得る。
【先行技術文献】
【特許文献】
【０００３】
【特許文献１】国際公開第２０１３／０１２３６２号
【発明の概要】
【発明が解決しようとする課題】
【０００４】
従って、閉じた状態から開いた状態まで摺動可能であり、単一のブランクから形成され、開梱に便利で視覚的に魅力的な改良された梱包ボックスが必要とされている。ブランクをボックスに形成するための改善された方法と共に、ボックスを形成することができる改良されたブランク、及び梱包ボックス内に製品を梱包する方法の必要性もまた存在する。
【課題を解決するための手段】
【０００５】
第１の態様によれば、梱包ボックスが提供される。梱包ボックスは、連続した梱包ブランクから形成される。梱包ボックスは、開口可能端部及び閉口端部を有する。梱包ボックスは内部区画を有する。内部区画は、製品を収容するための第１の空間を画定する。梱包ボックスは外側カバーを有する。外側カバーは、内部区画を収容するための第２の空間を画定する。梱包ボックスには連結部材が設けられている。連結部材は、内部区画を外側カバーと連結する。内部区画は、第２の空間内に配置される。内部区画は、閉口した第１の状態と開口した第２の状態との間で摺動するように構成される。閉じた第１の状態では、内部区画は実質的に外側カバー内に収容される。開いた第２の状態では、内側の区画は、開口可能端部上の外側カバーを部分的に越えて延在する。連結部材は、内部区画が外側カバーから完全に取り外されることを防止するように構成される。
【０００６】
一実施形態では、内部区画は、連続した梱包ブランクのパネルの第１の端部分を備える。内部区画は、連続した梱包ブランクの第１のトップパネルと、第１の端部分の両側に配置されたそれぞれの折り曲げ線によって第１の端部分に連結された、連続した梱包ブランクの第１のボトムパネルと、を備える。内部区画は、連続した梱包ブランクの第１のトップパネルタブと、連続した梱包ブランクの第１のボトムパネルタブと、を備え、それぞれ、第１のトップパネル及び第１のボトムパネルにそれぞれ折り曲げ線によって連結される。第１のトップパネルタブと第１のボトムパネルタブとは、互いに係合される。
【０００７】
一実施形態では、内部区画は、梱包ボックスの開口可能端部及び閉口端部上に開口端部を有する。
【０００８】
一実施形態では、連結部材は、開口可能端部で第１のトップパネルの縁部に当接せず、これにより開口部を画定する。
【０００９】
一実施形態では、開口可能端部上の第１のトップパネル及び第１のボトムパネルの縁部は、互いに整列されてない。
【００１０】
一実施形態では、開口可能端部の第１のトップパネルの縁部は凹形であり、開口可能端部の第１のボトムパネルの縁部は凸形状である。
【００１１】
一実施形態では、凹状及び凸形状は半円形である。
【００１２】
一実施形態では、連結部材は、開口可能端部で第１のボトムパネルの縁部に当接し、開口可能端部で第１のトップパネルの縁部に当接せず、これにより開口部を画定する。
【００１３】
一実施形態では、連結部材は、開口可能端部上の第１のボトムパネルの縁部の長さ、第１のボトムパネルタブと第１のボトムパネルとの間の折り曲げ線の長さ、及び、第１のボトムパネルの縁部の長さ合計と等しい、内部区画と連結部材との間の連結部と外側カバーと連結部材との間の連結部とからの長さを有する。
【００１４】
一実施形態では、外側カバーは、連続した梱包ブランクのパネルの第２の端部分を備える。外側カバーは、第２の端部分の両側に配置され、かつ、それぞれがそれぞれの折り曲げ線によって第２の端部分に連結されている、連続した梱包ブランクの第２のトップパネル及び連続した梱包ブランクの第２のボトムパネルを備える。外側カバーは、それぞれがそれぞれの折り曲げ線によって第２のトップパネル及び第２のボトムパネルに連結されている、連続した梱包ブランクの第２のトップパネルタブ及び連続した梱包ブランクの第２のボトムパネルタブを備える。第２のトップパネルタブと第２のボトムパネルタブとは互いに係合される。
【００１５】
一実施形態では、外側カバーは、連続した梱包ブランクのパネルの第２の端部分を備える。外側カバーは、第２の端部分の両側に配置され、それぞれがそれぞれの折り曲げ線によって第２の端部分に連結されている、連続した梱包ブランクの第２のトップパネル及び連続した梱包ブランクの第２のボトムパネルを備える。外側カバーは、それぞれがそれぞれの折り曲げ線によって第２のトップパネル及び第２のボトムパネルに連結されている、連続した梱包ブランクの第２のトップパネルタブ及び連続した梱包ブランクの第２のボトムパネルタブを備える。第２のトップパネルタブと第２のボトムパネルタブとは、互いに係合される。開口可能端部上の第２のトップパネルの縁部及び第１のボトムパネルの縁部は、互いに整列されている。
【００１６】
一実施形態では、第１のボトムパネル、第２のトップパネル、及び、第２のボトムパネルは、同一の形状である。
【００１７】
一実施形態では、外側カバーは、梱包ボックスの開口可能端部と閉口端部との上に開口端部を有する。
【００１８】
一実施形態では、連結部材は、第１の端部分に隣接しかつ第２の端部分に隣接した連続した梱包ブランクのパネルの中央部分として形成される。
【００１９】
一実施形態では、連結部材は、開口可能な側の第１の端部分に連結し、閉口側の第２の端部分に連結する。
【００２０】
一実施形態では、梱包ボックスは前端部及び後端部を有する。連結部材は、後端部の内部区画に連結し、かつ、後端部の外側カバーに連結する。
【００２１】
一実施形態では、連結部材は、前端部上で内部区画と前端部の外側カバーとの間で行き来する。
【００２２】
一実施形態では、連結部材は閉口端部で湾曲するように構成される。
【００２３】
一実施形態では、中央部分は弾性的に湾曲可能である。
【００２４】
一実施形態では、内部区画と連結部材との間の連結部と外側カバー及び連結部材との間の連結部とからの連結部材の長さは、閉口端部から開口可能部までの内部区画の長さと、閉口端部と開口可能端部とを結合する線に垂
直な方向における内部区画の幅の２倍の長さと、の合計と少なくともと等しい。
【００２５】
第２の態様によれば、梱包ボックスを形成するための連続した梱包ブランクが提供される。連続した梱包ブランクは、第１の方向に対して順に配置された第１の端部分、中央部分、及び、第２の端部分を有するパネルを備える。連続した梱包ブランクは、第１の端部分の両側に配置され、それぞれがそれぞれの折り曲げ線によって第１の端部分に連結された、第１のトップパネル及び第１のボトムパネルを備える。第１のトップパネル及び第１のボトムパネルはそれぞれ、第１の方向に垂直な第２の方向に対してそれぞれの折り曲げ線から延在する。連続した梱包ブランクは、それぞれがそれぞれの折り曲げ線によって、第１のトップパネル及び第１のボトムパネルにそれぞれ連結された、第１のトップパネルタブ及び第１のボトムパネルタブを備える。第１のトップパネルタブ及び第１のボトムパネルタブはそれぞれ、第２の方向に対してそれぞれの折り曲げ線から離れるように延在する。連続した梱包ブランクは、第２の端部分の反対側に配置され、それぞれがそれぞれの折り曲げ線によって第２の端部分に連結された、第２のトップパネル及び第２のボトムパネルを備える。第２のトップパネル及び第２のボトムパネルはそれぞれ、第２の方向に対するそれぞれの折り曲げ線から離れるように延在する。連続した梱包ブランクは、第２のトップパネルタブ及び第２のボトムパネルタブを備える。それぞれは、それぞれの折り曲げ線によって第２のトップパネル及び第２のボトムパネルにそれぞれ連結される。第２のトップパネルタブ及び第２のボトムパネルタブはそれぞれ、第２の方向に沿ってそれぞれの折り曲げ線から離れるように延在する。第１の方向におけるパネルの長さは、第１のボトムパネルと第１の端部分との間の折り曲げ線の長さ、第２の方向における第１のボトムパネルの幅の２倍の長さ、及び、第１のボトムパネルタブと第１のボトムパネルとの間の折り曲げ線の長さの合計より大きい。
【００２６】
一実施形態では、第１の方向におけるパネルの長さは、第１のボトムパネルと第１の端部分との間の折り曲げ線の長さの２倍の長さ、第２の方向における第１のボトムパネルの幅の２倍の長さ、及び、第１のボトムパネルタブと第１のボトムパネルとの間の折り曲げ線の長さの合計以上である。
【００２７】
一実施形態では、第１のボトムパネルタブと第１のボトムパネルとの間の折り曲げ線は、第１のボトムパネルと第１の端部分との間の折り曲げ線と同じ長さであり、第１の方向におけるパネルの長さは、第１のボトムパネルと第１の端部との間の折り曲げ線の３倍の長さと、第２の方向における第１のボトムパネルの幅の２倍の長さと、の合計以上である。
【００２８】
一実施形態では、第１の方向におけるパネルの長さは、第１のボトムパネルの周囲長と、第１のボトムパネルと第１の端部との間の折り曲げ線の長さと、の合計以下である。
【００２９】
一実施形態では、第２の方向における第１のトップパネルタブの幅と第１のボトムパネルタブの幅の合計は、第２の方向におけるパネルの幅に少なくとも等しい。
【００３０】
一実施形態では、第２の方向における第２のトップパネルタブの幅と第２のボトムパネルタブの幅の合計は、第２の方向におけるパネルの幅に少なくとも等しい。
【００３１】
一実施形態では、第１のトップパネルタブの長さと第１の方向における第１のボトムパネルタブの長さとは、同一である。
【００３２】
一実施形態では、第２のトップパネルタブの長さと第１の方向における第２のボトムパネルタブの長さとは、同一である。
【００３３】
一実施形態では、第１のボトムパネル、第２のトップパネル、及び、第２のボトムパネルは同一の形状である。
【００３４】
一実施形態では、第１のボトムパネルと第１の端部分との間の折り曲げ線の長さ、第１のボトムパネルタブと第１のボトムパネルとの間の折り曲げ線の長さ、第２のボトムパネルと第２の端部分との間の折り曲げ線の長さ、及び、第２のボトムオパネルタブと第２のボトムパネルとの間の折り曲げ線の長さは、同一である。
【００３５】
一実施形態では、パネルは、第１の方向に対して順に配置された第１の半体及び第２の半体を有する。第１の半体は、第１の端部分を有するパネルの半分に相当し、第２の半体は、第２の端部分を有するパネルの半分に相当する。第２の半体は、第２の方向において延在する折り曲げ線を一切有さない。
【００３６】
一実施形態では、パネルは、第２の方向において延在する折り曲げ線を一切有さない。
【００３７】
一実施形態では、パネルは、第１の方向に対して順に配置された第１の半体及び第２の半体を有する。第１の半体は、第１の端部分を有するパネルの半分に相当し、第２の半体は、第２の端部分を有するパネルの半分に相当する。第１の半体は、第２の方向において延在する１つ以上の折り曲げ線を有する。
【００３８】
一実施形態では、中央部分に向く、第１のトップパネルの縁部と第１のボトムパネルの縁部とは、互いに整列されていない。
【００３９】
一実施形態では、中央部分から外方に向く、第１のトップパネルの縁部と第１のボトムパネルの縁部とは、互いに整列されている。
【００４０】
一実施形態では中央部分から外方に向く、第２のトップパネルの縁部と第２のボトムパネルの縁部とは、互いに整列されている。
【００４１】
一実施形態では、中央部分に向く、第２のトップパネルの縁部と第２のボトムパネルの縁部とは、互いに整列されている。
【００４２】
一実施形態では、中央部分に向く第１のボトムパネルの縁部は凹形状であり、中央部分に向く第１のトップパネルの縁部は凸形状である。
【００４３】
一実施形態では、凹形状及び凸形状は半円形である。
【００４４】
一実施形態では、第１のトップパネルタブ及び第１のボトムパネルタブは、互いに係合可能な形状である。第２のトップパネルタブ及び第２のボトムパネルタブは、互いに係合可能な形状である。
【００４５】
一実施形態では、第１のトップパネルタブ及び第１のボトムパネルタブの第２の方向における折り曲げ線に対向する縁部は、互いに噛合するような形状である。
【００４６】
一実施形態では、パネルは第１の方向において細長い。
【００４７】
一実施形態では、第１の方向におけるパネルの長さは、第２の方向におけるパネルの幅の２倍以上である。
【００４８】
一実施形態では、第１の方向におけるパネルの長さは、第２の方向におけるパネルの幅の３倍である。
【００４９】
一実施形態では、第１のトップパネル、第１のボトムパネル、第２のトップパネル、及び、第２のボトムパネルは、第１の方向において細長い。
【００５０】
一実施形態では、第１の方向における、第１のトップパネルの長さ、第１のボトムパネルの長さ、第２のトップパネルの長さ、及び、第２のボトムパネルの長さは、それぞれ、第２の方向における、第１のトップパネルの幅の２倍、第１のボトムパネルの幅の２倍、第２のトップパネルの幅の２倍、及び、第２のボトムパネルの幅の２倍以上である。
【００５１】
一実施形態では、第１の方向における中央部分の長さは、中央部分に向く第１のボトムパネルの縁部の長さ、第１のボトムパネルタブと第２のボトムパネルタブとの間の折り曲げ線の長さ、及び、第１のボトムパネルと、中央部から外方に向く第１のボトムパネルの縁部の長さの合計と等しい。
【００５２】
本発明の第３の態様によれば、第２の態様による連続した梱包ブランクから梱包ボックスを形成する方法であって、内部区画を形成するステップを備える方法が提供される。内部区画は、第１のトップパネルタブと第１のボトムパネルタブとを係合することによって形成される。この方法は、中央部分及び第２の端部分を巻くステップを備える。中央部分及び第２の端部分は、内部区画の周りに巻かれる。中央部分及び第２の端部分は、第２の端部分が第１の端部分に当接するように巻かれる。この方法は、外側カバーを形成するステップを備える。外側カバーは内部区画を包囲する。外側カバーは、第２のトップパネルタブと第２のボトムパネルタブとを係合することによって形成される。
【００５３】
一実施形態では、内部区画を形成するステップは、第１のトップパネルと第１の端部との間の折り曲げ線に沿って、かつ、第１のボトムパネルと第１の端部との間の折り曲げ線に沿って折り曲げるステップと、第１のトップパネルタブと第１のトップパネルとの間の折り曲げ線に沿って、かつ、第１のボトムパネルタブと第１のボトムパネルとの間の折り曲げ線に沿って折り曲げるステップと、をさらに備える。
【００５４】
一実施形態では、外側カバーを形成するステップは、第２のトップパネルと第２の端部との間の折り曲げ線に沿って、かつ、第２のボトムパネルと第２の端部との間の折り曲げ線に沿って折り曲げるステップをさらに備える。外側カバーを形成するステップは、第２のトップパネルタブと第２のトップパネルとの間の折り曲げ線に沿って、かつ、第２のボトムパネルタブと第２のボトムパネルとの間の折り曲げ線に沿って折り曲げるステップをさらに備える。
【００５５】
一実施形態では、第１のトップパネルタブ及び第１のボトムパネルタブの第２の方向において折り曲げ線に対向する縁部は、互いに噛合するような形状である。第１のトップパネルタブと第１のボトムパネルタブとを係合させるステップは、第１のトップパネルタブ及び第１のボトムパネルタブの第２の方向における折り曲げ線に対向する縁部を互いに噛合接触させるステップを備える。
【００５６】
一実施形態では、中央部分は、第１の方向に関して順に配置された第１の半体及び第２の半体を有する。第１の半体は、第１の端部分に隣接する中央部分の半分に相当し、第２の半体は、第２の端部分に隣接する中央部分の半分に相当する。第２の半体は、第２の方向に延在する折り曲げ線を有さない。内部区画の周りに中央部分を巻くステップは、第２の方向に延在する折り曲げ線に沿って第２の半体を折り曲げるステップを備えない。
【００５７】
第４の態様によれば、第２の態様の連続した梱包ブランクから形成された梱包ボックスに製品を梱包する方法が提供される。この方法は、製品を第１のボトムパネルまたは第１のトップパネル上に配置するステップを備える。この方法は、製品が少なくとも部分的に内部区画内に配置されるように、第１のトップパネルタブ及び第１のボトムパネルタブを係合させることによって内部区画を形成するステップを備える。この方法は、第２の端部分が第１の端部分に対向するように、内部区画の周りに中央部分及び第２の端部分を巻くステップを備える。この方法は、第２のトップパネルタブと第２のボトムパネルタブを係合させることによって、内部区画を包囲する外側カバーを形成するステップを備える。
【００５８】
一実施形態では、内部区画を形成するステップの間、製品が配置される第１のボトムパネルまたは第１のトップパネルは水平に保たれる。
【００５９】
一実施形態では、内部区画を形成ステップ、中央部分を巻くステップ、及び、外側カバーを形成するステップの間、製品が配置される第１のボトムパネルまたは第１のトップパネルは水平に保たれる。
【００６０】
一実施形態では、製品が配置される第１のボトムパネルまたは第１のトップパネルは、内部区画を形成する工程、中央部分を巻く工程、及び外側カバーを形成する工程中に水平に保たれる。
【００６１】
第５の態様によれば、第２の態様の連続した梱包ブランクから形成された梱包ボックスに製品を梱包する方法が提供される。この方法は、第１のトップパネルタブ及び第１のボトムパネルタブを係合させることによって内部区画を形成するステップを備える。この方法は、製品を少なくとも部分的に内部区画内に配置するステップを備える。この方法は、第２の端部分が第１の端部分に対向するように、内部区画の周りに中央部分及び第２の端部分を巻くステップを備える。この方法は、第２のトップパネルタブと第２のボトムパネルタブを係合させることによって、内部区画を包囲する外側カバーを形成するステップを備える。
【００６２】
一実施形態では、巻くステップは２つの段階で実施され、製品を少なくとも部分的に内部区画内に配置するステップは、これらの２つの段階の間に実施される。この実施形態では、第１の段階は、中央部分を開口可能端部側の内部区画の周りに巻くステップを備え得る。
【００６３】
本発明をよりよく理解し、どのように実施することができるかを示すために、ここでは単なる例示として添付の図面を参照する。
【図面の簡単な説明】
【００６４】
【図１】本発明の一実施形態である連続した梱包ブランクから本発明の実施形態である梱包ボックスを組み立てる方法の実施形態を示す図である。
【図２】本発明の一実施形態である連続した梱包ブランクから本発明の実施形態である梱包ボックスを組み立てる方法の実施形態を示す図である。
【図３】本発明の一実施形態である連続した梱包ブランクから本発明の実施形態である梱包ボックスを組み立てる方法の実施形態を示す図である。
【図４】本発明の一実施形態である連続した梱包ブランクから本発明の実施形態である梱包ボックスを組み立てる方法の実施形態を示す図である。
【図５】本発明の一実施形態である連続した梱包ブランクから本発明の実施形態である梱包ボックスを組み立てる方法の実施形態を示す図である。
【図６】本発明の一実施形態である連続した梱包ブランクから本発明の実施形態である梱包ボックスを組み立てる方法の実施形態を示す図である。
【図７】本発明の一実施形態である連続した梱包ブランクから本発明の実施形態である梱包ボックスを組み立てる方法の実施形態を示す図である。
【図８】本発明の一実施形態である連続した梱包ブランクから本発明の実施形態である梱包ボックスを組み立てる方法の実施形態を示す図である。
【図９】本発明の一実施形態である連続した梱包ブランクから本発明の実施形態である梱包ボックスを組み立てる方法の実施形態を示す図である。
【図１０】本発明の一実施形態である連続した梱包ブランクから本発明の実施形態である梱包ボックスを組み立てる方法の実施形態を示す図である。
【図１１】本発明の一実施形態である連続した梱包ブランクから本発明の実施形態である梱包ボックスを組み立てる方法の実施形態を示す図である。
【図１２】本発明の一実施形態である部分的に開いた梱包ボックスを示す図である。
【図１３】本発明の一実施形態である完全に開いた梱包ボックスを示す図である。
【発明を実施するための形態】
【００６５】
図１は、本発明の一実施形態である梱包ボックス２００に折り曲げるのに適した本発明の実施形態である梱包ブランク１００を示す。梱包ボックス２００は図１１に示されており、図２〜図１０は、梱包ブランク１００を梱包ボックス２００に組み立てるプロセスの中間段階を示す。
【００６６】
梱包ブランク１００は、全体的に平面の形態を有し、単一の連続した梱包シートで形成されている。例えば、梱包材料は、特許文献１に記載及び／または特許請求されている滑らかに湾曲可能なボードのような可撓性プラスチックまたは厚紙材料であり得る。
【００６７】
図１の梱包ブランク１００は、以下にさらに説明するように、いくつかの主要部分を有する。
【００６８】
略矩形のパネル１０１が設けられている。パネル１０１は、第１の方向に対して順に配置された第１の端部分１０１ｂ、中央部分１０１ａ及び第２の端部分１０１ｃを有する。パネル１０１は、第１の方向において細長い。
【００６９】
パネル１０１の第１の端部分１０１ｂの両側には、第１のトップパネル１０２と第１のボトムパネル１０３とが配置されている。第１のトップパネル１０２は、折り曲げ線１０２ａを介して第１の端部分１０１ｂに連結されている。第１のボトムパネル１０３は、折り曲げ線１０３ａを介して第１の端部分１０１ｂに連結されている。折り曲げ線１０２ａ、１０３ａはそれぞれ第１の方向に延在する。折り曲げ線１０２ａ、１０３ａの長さは、第１の端部分１０１ｂの長さを規定する。第１の端部分１０１ｂは、折り曲げ線１０２ａ、１０３ａのそれぞれの中央部分の両端を結ぶ直線で中央部分１０１ａに連結すると考えられ得る。第１のトップパネル１０２及び第１のボトムパネル１０３は、それぞれ、第１の方向に垂直な第２の方向に対して、それぞれの折り曲げ線１０２ａ、１０３ａから離れるように延在する。したがって、第１のトップパネル１０２及び第１のボトムパネル１０３は、第１の端部分１０１ｂの幅だけ第２の方向に離間される。
【００７０】
パネル１０１は、第２の方向に間隔を開けて配置され、それぞれが第１の方向に延在する一対の対向する縁部、すなわちトップ縁部１０１ｄ及びボトム縁部１０１ｅを有する。第１のトップパネル１０２は、折り曲げ線１０２ａを介して、第１の端部分１０１ｂのトップ縁部１０１ｄに連結されている。第１のボトムパネル１０３は、折り曲げ線１０３ａを介して、第１の端部分１０１ｂのボトム縁部１０１ｅに連結されている。
【００７１】
第１のトップパネル１０２は、第２の方向に延在する対向する縁部１０２ｂ、１０２ｃを有する。縁部１０２ｂ、１０２ｃは、第１の方向に離間している。第１のボトムパネル１０３は、第２の方向に延在する対向する縁部１０３ｂ、１０３ｃを有する。縁部１０３ｂ、１０３ｃは、第１の方向に離間している。縁部１０３ｃは、縁部１０２ｃよりも中央部分１０１ａの近くに配置されている。縁部１０３ｃは、縁部１０３ｂよりも中央部分１０１ａの近くに配置される。縁部１０２ｃは、縁部１０２ｂよりも中央部分１０１ａの近くに配置される。
【００７２】
第１のトップパネルタブ１０６は、折り曲げ線１０６ａを介して第１のトップパネル１０２に連結されている。第１のトップパネルタブ１０６は、第２の方向に折り曲げ線１０６ａから離れるように延在する。折り曲げ線１０６ａは、折り曲げ線１０２ａと第２の方向において対向している。折り曲げ線１０２ａ、１０６ａは、第２の方向に離間している。折り曲げ線１０６ａは、第１の方向に延在する。
【００７３】
第１のトップパネルタブ１０６は、第１の方向に沿って延在し、第２の方向において折り曲げ線１０６ａに対向する縁部１０６ｂを有する。縁部１０６ｂと折り曲げ線１０６ａとは、第２の方向に離間している。
【００７４】
第１のボトムパネルタブ１０７は、折り曲げ線１０７ａを介して第１のボトムパネル１０３に連結されている。第１のボトムパネルタブ１０７は、折り曲げ線１０７ａから第２の方向に離れるように延びている。折り曲げ線１０７ａは、折り曲げ線１０３ａと第２方向に対向している。折り曲げ線１０３ａ、１０７ａは、第２の方向に離間している。折り曲げ線１０７ａは、第１方向に延びている。
【００７５】
第１のボトムパネルタブ１０７は、第１方向に沿って延在し、折り曲げ線１０７ａと第２方向に対向する縁部１０７ｂを有する。縁部１０７ｂと折り曲げ線１０７ａとは第２の方向に離間している。
【００７６】
第１のトップパネルタブ１０６及び第１のボトムパネルタブ１０７のそれぞれの縁部１０６ｂ、１０７ｂは、縁部１０６ｂ、１０７ｂが平面内で近似されるときに互いに噛み合うような形状である。
【００７７】
第１のトップパネル１０２及び第１のボトムパネル１０３のそれぞれの縁部１０２ｃ、１０３ｃは、第１の方向に整列していない。第１のトップパネル１０２の縁部１０２ｃは、湾曲しかつ凹状である。第１のボトムパネル１０３の縁部１０３ｃは、湾曲した凸形状である。この実施形態では、縁部１０２ｃ、１０３ｃは、半円の対応する半体を形成する。
【００７８】
第１のトップパネル１０２及び第１のボトムパネル１０３のそれぞれの縁部１０２ｂ、１０３ｂは、第１の方向に整列している。縁部１０２ｂ、１０３ｂは湾曲した凸形状である。この実施形態では、縁部１０２ｂ、１０３ｂは半円の対応する半体を形成する。
【００７９】
この実施形態では、縁部１０２ｂ、１０３ｂ、１０３ｃのそれぞれの形状及びサイズは同じである。
【００８０】
パネル１０１の第２の端部分１０１ｃの両側に第２のトップパネル１０４と第２のボトムパネル１０５が配置されている。第２のトップパネル１０４は折り曲げ線１０４ａを介して第２の端部分１０１ｃに連結されている。第２のボトムパネル１０５は、折り曲げ線１０５ａを介して第２の端部分１０１ｃに連結されている。折り曲げ線１０４ａ、１０５ａの長さは、第２の端部分１０１ｃの長さを規定する。第２の端部分１０１ｃは、折り曲げ線１０４ａ、１０５ａのそれぞれの中央部分の両端を結ぶ直線で中央部分１０１ａに連結するとされ得る。折り曲げ線１０４ａ、１０５ａは、それぞれ第１の方向に延在する。第２のトップパネル１０４及び第２のボトムパネル１０５はそれぞれ、第２の方向に関してそれぞれの折り曲げ線１０４ａ、１０５ａから離れるように延在する。第２のトップパネル１０４と第２のボトムパネル１０５とは、第２の方向に離間している。
【００８１】
第２のトップパネル１０４は、折り曲げ線１０４ａを介して第２の端部分１０１ｃのトップ縁部１０１ｄに連結されている。第２のボトムパネル１０５は、折り曲げ線１０５ａを介して第２の端部分１０１ｃのボトム縁部１０１ｅに連結されている。
【００８２】
第２のトップパネル１０４は、第２の方向に延在する、対向する縁部１０４ｂ、１０４ｃを有する。縁部１０４ｂ、１０４ｃは、第１の方向に離間している。第２のボトムパネル１０５は、第２の方向に延在する対向する縁部１０５ｂ、１０５ｃを有する。縁部１０５ｂ、１０５ｃは、第１の方向に離間している。
【００８３】
第２のトップパネルタブ１０８は、折り曲げ線１０８ａを介して第２のトップパネル１０４に連結されている。第２のトップパネルタブ１０８は、折り曲げ線１０８ａから第２の方向に離れるように延在する。折り曲げ線１０８ａは、第２方向において折り曲げ線１０４ａに対向する。折り曲げ線１０４ａ、１０８ａは、第２の方向に離間している。折り曲げ線１０８ａは、第１の方向に延在する。
【００８４】
第２のトップパネルタブ１０８は、第１の方向に沿って延在し、第２の方向において折り曲げ線１０８ａに対向する縁部１０８ｂを有する。縁部１０８ｂ及び折り曲げ線１０８ａは、第２の方向に離間している。
【００８５】
第２のボトムパネルタブ１０９は、折り曲げ線１０９ａを介して第２のボトムパネル１０５に連結されている。第２のボトムパネルタブ１０９は、折り曲げ線１０９ａから第２の方向に離れるように延在する。折り曲げ線１０９ａは、第２の方向において折り曲げ線１０５ａに対向している。折り曲げ線１０５ａ、１０９ａは、第２の方向に離間している。折り曲げ線１０９ａは、第１の方向に延在する。
【００８６】
第２のボトムパネルタブ１０９は、第１の方向に沿って延在し、第２の方向において折り曲げ線１０９ａに対向する縁部１０９ｂを有する。縁部１０９ｂ及び折り曲げ線１０９ａは、第２の方向に離間している。
【００８７】
第２のトップパネルタブ１０８及び第２のボトムパネルタブ１０９は、互いに係合するような形状及びサイズを有する。
【００８８】
第２のトップパネル１０４及び第２のボトムパネル１０５のそれぞれの縁部１０４ｃ、１０５ｃは、第１の方向に整列している。縁部１０４ｃ、１０５ｃは、湾曲した凸形状である。第２のトップパネル１０４及び第２のボトムパネル１０５のそれぞれの縁部１０４ｂ、１０５ｂは、第１の方向に整列している。縁部１０４ｂ、１０５ｂは湾曲した凸形状である。縁部１０４ｂ、１０４ｃ、１０５ｂ、１０５ｃの形状及びサイズは同じである。この実施形態では、縁部１０４ｂ、１０４ｃ、１０５ｂ、１０５ｃは半円形の形状である。
【００８９】
この実施形態では、第１のボトムパネル１０３、第２のトップパネル１０４、及び、第２のボトムパネル１０５は、すべて同じ形状及びサイズである。
【００９０】
パネル１０１の第１方向の長さは、第１のボトムパネル１０３と第１の端部分１０１ｂとの間の折り曲げ線１０３ａの長さ、縁部１０３ｃの長さ、第１のボトムパネルタブ１０７と第１のボトムパネル１０３との間の折り曲げ線１０７ａの長さ、縁部１０３ｂの長さ、及び、第２のボトムパネル１０５と第２の端部分１０１ｃとの間の折り曲げ線１０５ａの長さの合計と等しい。
【００９１】
第１の方向の中央部分１０１ａの長さは、縁部１０３ｃの長さ、第１のボトムパネルタブ１０７と第１のボトムパネル１０３との間の折り曲げ線１０７ａの長さ、及び、縁部１０３ｂの長さの合計と等しい。
【００９２】
第１のトップパネル１０２、第１のボトムパネル１０３、第２のトップパネル１０４、及び、第２のボトムパネル１０５の第２の方向における幅は同一である。
【００９３】
第１のトップパネルタブ１０６と第１のボトムパネルタブ１０７との第２の方向の幅の合計は、パネル１０１の第１の端部分１０１ｂの幅と等しい。
【００９４】
第２のトップパネルタブ１０８と第２のボトムパネルタブ１０９の第２方向の幅の合計は、パネル１０１の第２の端部分１０１ｃの幅以上である。
【００９５】
パネル１０１は、第２の方向に延在する折り曲げ線を有さない。これにより、ブランクの折り曲げている間に中央部分１０１ａが第１の方向に沿って円滑に湾曲する。パネル１０１は、第１の方向に延在する折り曲げ線を有さない。パネル１０１は、恒久的に変形することなく、第１及び／または第２の方向に沿って曲がるのに十分に可撓性であってもよい。これにより、ブランクの折り曲げ中に、中央部分１０１ａが第１の方向に沿って滑らかに湾曲することが可能になる。
【００９６】
以上の構成により、図１に示す梱包ブランク１００は、図２〜１１の示す工程によって図１１に示すような梱包ボックス２００に組み立てられ得る。
【００９７】
図２において、第１のボトムパネル１０３は、折り曲げ線１０３ａに沿って第１の端部分１０１ｂに対して折り曲げられている。第１のボトムパネル１０３は、第１の端部分１０１ｂに対して垂直になるまで折り曲げられている。図２において、第１のボトムパネルタブ１０７は、第１のボトムパネル１０３に対して折り曲げ線１０７ａに沿って折り曲げられている。第１のボトムパネルタブ１０７は、第１のボトムパネル１０３に対して垂直になるまで折り曲げられている。
【００９８】
図３において、第１のトップパネル１０２は、折り曲げ線１０２ａに沿って第１の端部分１０１ｂに対して折り曲げられている。第１のトップパネル１０２は、第１の端部分１０１ｂに対して垂直になるまで折り曲げられている。
【００９９】
図４において、第１のトップパネルタブ１０６は、第１のトップパネル１０２に対して折り曲げ線１０６ａに沿って折り曲げられている。第１のトップパネルタブ１０６は、第１のトップパネル１０２に対して垂直になるまで折り曲げられている。図４において、第１のトップパネルタブ１０６の縁部１０６ｂは、第１のボトムパネルタブ１０７の縁部１０７ｂと嵌合接触する。縁部１０６ｂ及び１０７ｂは、互いに接着されてもよいし、接着されなくてもよい。図示される構成では、縁部１０６ｂ及び１０７ｂは、互いに嵌合されて材料の平面領域を形成するように形成され、接着テープなどの固定手段を使用して縁部１０６ｂ及び１０７ｂを互いに接着することができる。別の実施形態では、縁部１０６ｂ及び１０７ｂは、重なり合うように延在し得、接着剤または１つまたは複数のステープルなどの別の固定手段を使用して、パネルタブ１０６及び１０７を重なり合う構成に固定され得る。これにより、内部区画２０１は、パネル１０１の第１の端部分１０１ｂによって形成された一方の側壁と、嵌合された（または重ねられた）第１のトップパネルタブ１０６及び第１のボトムパネルタブ１０７によって形成された反対側の側壁と、を有する第１のトップパネル及びボトムパネル１０２、１０３によって形成される。第１のトップパネル１０２及び第１のボトムパネル１０３の第２の方向の幅が同一であり、かつ、第１のトップパネルタブ１０６と第１のボトムパネルタブ１０７の第２の方向の幅の合計がパネル１０１の第１の端部分１０１ｂの幅と等しく、内部区画２０１の側壁は、図４に示されるように、互いに平行に、かつ、第１のトップパネル１０２及び第１のボトムパネル１０３に垂直になるように配置され得る。
【０１００】
図５において、パネル１０１の中央部分１０１ａは、第１のボトムパネル１０３の縁部１０３ｃの一部に沿って円滑に折り曲げられており、これにより、少なくとも第１のボトムパネル１０３の周囲に中央部分１０１ａが巻かれる。中央部分１０１ａは、第１のボトムパネル１０３の縁部１０３ｃの一部に当接している。これにより、第１のボトムパネル１０３の縁部１０３ｃは、中央部分１０１ａの巻きを第１のボトムパネル１０３の周りに案内する。図５において、中央部分１０１ａは第１の方向に沿って滑らかに曲がっている。中央部分１０１ａの可撓性は、中央部分１０１ａが、折り曲げ線を付けずに縁部１０３ｃの最小曲率半径に対応する曲率半径に曲げることができるほどである。
【０１０１】
図６において、中央部分１０１ａは、第１のボトムパネル１０３の縁部１０３ｃの周囲の全長に亘ってさらに折り曲げられ、これにより、第１のサイドパネルタブ１０６及び１０７と接触する。第１のボトムパネル１０３の少なくとも縁部１０３ｃの周囲との中央部分１０１ａの接触は、巻き取りの間、中央部分１０１ａが第１のトップパネル１０２と第１のボトムパネル１０３との間に画定された空間に引き込まれることを防止する。第１のトップパネル１０２及び第１のボトムパネル１０３の縁部１０２ｃ、１０３ｃはそれぞれ第１の方向に整列していないので、中央部分１０１ａは、第１のトップパネル１０２の縁部１０２ｃの少なくとも一部と接触しない。
【０１０２】
図７において、パネル１０１の中央部分１０１ａは、第１のトップパネル１０２及び第１のボトムパネル１０３の縁部１０２ｂ、１０３ｂの一部に沿ってそれぞれに滑らかに折り曲げられている。中央部分１０１ａの一部は、両縁部１０２ｂ、１０３ｂの一部に当接している。また、図５に示す状況と同様に、第１のトップパネル１０２及び第１のボトムパネル１０３のそれぞれの縁部１０２ｂ及び１０３ｂは、第１のトップパネル及び第１のボトムパネル１０３の周りの中央部分１０１ａの巻きをガイドする第１のトップパネル１０２と第１のボトムパネル１０３の端部分１０２ｂ、１０３ｂがそれぞれ第１の方向に整列すると、中央部分１０１ａは両縁部１０２ｂ、１０３ｂの少なくとも一部と接触する。図７において、中央部分１０１ａは、第１の方向に沿って円滑に折り曲げられている。中央部分１０１ａの可撓性は、中央部分１０１ａが、折り曲げ線を付けずに縁部１０３ｂまたは縁部１０２ｂの最小曲率半径に対応する曲率半径に曲げることができるほどである。
【０１０３】
図８において、中央部分１０１ａは、縁部１０２ｂ、１０３ｂの全長に沿って延在するようにさらに折り曲げられている。中央部分１０１ａと、少なくとも第１のボトムパネル１０３の縁部１０３ｂまたは第１のトップパネル１０２の縁部１０２ｂとの周囲との接触は、巻く間に、第１のトップパネル１０２と第１のボトムパネル１０３との間に画定される隙間に中央部分１０１ａが引き込まれるのを防ぐ。第２の端部分１０１ｃは、第１の端部分１０１ｂと接触し、これにより、第１の端部分１０１ｂと重なる。パネル１０１の第１の方向の長さは、折り曲げ線１０３ａの長さ、端部分１０３ｃの長さ、折り曲げ線１０７ａの長さ、端部分１０３ｂの長さ、及び、折り曲げ線１０５ａの長さに合計と等しく、第２の端部分１０１ｃは、第１の端部分１０１ｂと完全に重なる。言うまでもなく、縁部１０３ｃ及び／またが、例えばフィンガ・ホールを設けるために、縁部１０３ｂがノッチまたは切欠き部を有する変形例では、それぞれの縁部の長さは、中央部分１０１ａが、巻く間に、切り欠きをブリッジするのと同様に、このような切り欠きをブリッジするように延在する仮想線を含むとみなされるべきである。
【０１０４】
図９において、第２のボトムパネル１０５は、折り曲げ線１０５ａに沿って第２の端部分１０１ｃに対して折り曲げられている。第２のボトムパネル１０５は、第２の端部分１０１ｃに対して垂直になるまで折り曲げられ、第１のボトムパネル１０３と接触する。図９において、第２のトップパネル１０４は、折り曲げ線１０４ａに沿って第２の端部分１０１ｃに対して折り曲げられている。第２のトップパネル１０４は、第２の端部分１０１ｃに垂直になるまで折り曲げられ、第１のトップパネル１０２と接触する。この構成では、中央部分１０１ａのトップ縁部１０１ｄ及びボトム縁部１０１ｅは、それぞれ、第２のトップパネル１０４と第２のボトムパネル１０５との表面に当接する。第１のボトムパネル１０３、第２のトップパネル１０４、及び、第２のボトムパネル１０５の形状及びサイズが同一であり、中央部分１０１ａの巻きは、縁部１０２ｂ、１０３ｂ、１０３ｃにガイドされ、この構成では、第２のトップパネル１０４及び第２のボトムパネル１０５の周囲が、それぞれ、パネル１０１の縁部１０１ｄ及び１０１ｅの曲げられた形状と略揃えられる。
【０１０５】
図１０において、第２のボトムパネルタブ１０９は、折り曲げ線１０９ａに沿って第２のボトムパネル１０５に対して折り曲げられている。第２のボトムパネルタブ１０９は、第２のボトムパネル１０５に対して垂直になるように折り曲げられ、これにより、中央部分１０１ａと接触する。
【０１０６】
図１１において、第２のトップパネルタブ１０８は、折り曲げ線１０８ａに沿って第２のトップパネル１０４に対して折り曲げられている。第２のトップパネルタブ１０８は、第２のトップパネル１０４に対して垂直になるまで折り曲げられている。第２のトップパネルタブ１０８及び第２のボトムパネルタブ１０９の第２の方向の幅の合計は、第２の端部分１０１ｃの幅以上であり、第２のトップパネルタブ１０８と第２のボトムパネルタブ１０９とがこの段階で互いに接触する。この段階で、第２のトップパネルタブ１０８と第２のボトムパネルタブ１０９とは、例えば、接着剤の塗布による、または、ステープルまたはテープの使用による固定手段によって互いに固定され得る。これにより、パネル１０１の第２の端部分１０１ｃによって形成された一方の側壁と、固定された第２のトップパネルタブ１０８と第２のボトムパネルタブ１０９とによって形成された反対側の側壁と、を有する第２のトップパネル１０４とボトムパネル１０５によって外側カバー２０２が形成される。第２のトップパネルタブ１０８及び第２のボトムパネルタブ１０９は、外側カバー２０２の側壁が互いに平行であり、内部区画２０１の側壁に平行で、かつ、パネル１０１の中央部分１０１ａと平行になるように固定される。
【０１０７】
図１１は、図１〜９に示された工程の結果である完成した梱包ボックス２００を示す。梱包ボックス２００は、内部区画２０１（図４参照）、外側カバー２０２、及び、連結部材２０３から形成される。梱包ボックス２００は、開口可能端部及び反対側の閉口端部を有する。また、梱包ボックス２００は前端部と反対側の後端部とを有する。内部区画２０１は、内部区画２０１が外側カバー２０２内に実質的に収容された閉じた第１の状態と、内部区画２０１が外側カバー２０２を部分的に通過して延在する第２の状態との間で摺動するように構成される。閉じた第１の状態が図１１に示されており、開いた第２の状態が図１３に示めされている。図１２は、閉じた第１状態と開いた第２状態との間の中間状態を示す。
【０１０８】
連結部材２０３は、パネル１０１の中央部分１０１ａから形成されている。連結部材２０３は、開閉自在な第１の端部分１０１ｂに連結され、かつ、閉側の第２の端部分１０１ｃに連結されている。連結部材２０３は、後端部で内部区画２０１に連結され、かつ、後端部で外部区画２０３に連結されている。連結部材２０３は、内部区画２０１と外側カバー２０２との間で行き来する。連結部材２０３は、内部区画２０１の周りを巻いて外側カバー２０２と連結する。
【０１０９】
内部区画２０１と連結部材２０３の一部とが協働してチャンバを画定する。内部区画２０１及び連結部材２０３の一部は協働して、チャンバ内に開口部２０４を画定する。本実施形態では、開口部２０４は、第１のボトムパネル１０３の凸状の縁部１０３ｃの周りに湾曲するパネル１０１のトップ縁部１０１ｄと、第１のトップパネル１０２の凹状の縁部１０２ｃとの間に画定されている。第１のボトムパネル１０３の凸状の縁部１０３ｃと、第１のトップパネル１０２の凹状の縁部１０２ｃと、の間の形状及びサイズを適切に選択することによって、開口部２０４のサイズ及び形状を調整し得る。製品はチャンバ内に収容され得る。製品の断面は、開口部２０４のサイズ及び形状と同じ形状及びサイズであり得、これにより、製品が開口部２０４を介してチャンバから容易に取り出されることを可能にする。
【０１１０】
第１のボトムパネル１０３、第２のトップパネル１０４、及び、第２のボトムパネル１０５は、全て同一の形状及びサイズであり、この構成では、第１のボトムパネル１０３、第２のトップパネル１０４、及び、第２のボトムパネル１０５が、正確に重なる。従って、本実施形態は、ボックスに収容された製品が略または完全に収容され得る閉じた第２の状態を形成する。
【０１１１】
図１２において、内部区画２０１（図４参照）は、外側カバー２０２に対して第２のトップパネル１０４及び第２のボトムパネル１０５の伸長方向に部分的に平行移動され、これにより、開口部２０４を部分的に露出させる。中央部分１０１ａの少なくともトップ縁部及びボトム縁部１０１ｄ及び１０１ｅが第２のトップパネル１０４及び第２のボトムパネル１０５に当接するため、内部区画２０１の平行移動により、中央部分１０１ａが第２のトップパネル１０４及び第２のボトムパネル１０５に対して摺動する。この構成において、連結部材２０３は、閉口端部でさらに曲げられているが、内部区画２０１が外側カバー２０２の外に平行移動するにつれて、第１のボトムパネル１０３の縁部１０３ｂから少なくとも部分的に分離するようになる。
【０１１２】
図１３は、第２の開いた状態の梱包ボックス２００を示す。第２の開いた状態は、第１のトップパネルタブ１０６と第１のボトムパネルタブ１０７との重なり部分から第２の端部分１０１ｃへの連結部まで延在する連結部材２０３の一部が張ったときに達成される。従って、内部区画２０１のさらなる平行移動は不可能である。この構成では、開口部２０４は完全に露出している。
【０１１３】
パネル１０１の第１の方向の長さが、折り曲げ線１０３ａの長さ、縁部１０３ｃの長さ、折り曲げ線１０７ａの長さ、縁部１０３ｂの長さ、及び、折り曲げ線１０５ａの長さの合計と等しく、連結部材２０３は、連結部材２０３の湾曲によって梱包ボックスが閉じた第１の状態から開いた第２の状態に移行することができるような十分な長さを有する。
【０１１４】
中央部分１０１ａの第１の方向の長さは、縁部１０３ｃの長さ、折り曲げ線１０７ａの長さ、及び、縁部１０３ｂの長さの合計と等しく、連結部材２０３は、梱包ボックスが、連結部材２０３の湾曲によって、閉じた第１の状態から開いた第２の状態に平行移動することができるような十分な長さを有する。
【０１１５】
第１の端部分１０１ｂ及び第２の端部分１０１ｃは、内部区画２０１が外側カバー２０２に対して平行移動するとき、最小限に湾曲するか、または全く湾曲しない。しかし、連結部材２０３に連結される第２の端部分１０１ｃの領域は、内部区画２０１が平行移動したとき、特に、使用者が内部区画２０１を開いた第２の状態を超えてさらに平行移動しようとするときに湾曲し得る。
【０１１６】
梱包ボックス２００が閉じた第１の状態から第２の開口された状態に移行するときに、パネル１０１が永久変形することなく曲げられるので、図４に関して示され、説明されたステップの逆も同様である。図１１、図１２、及び図１３に示すように、ボックスは永久変形することなく閉じた第１の状態に戻る。
【０１１７】
一実施形態では、パネル１０１は弾性的に湾曲可能であり、それにより、開いた第２の位置に向かって移動するとき、内部区画２０１を閉じた第１の位置に向かって付勢するように作用する。
【０１１８】
第１のボトムパネル１０３及び第１のトップパネル１０２それぞれの縁部１０３ｂ、１０２ｂと中央部分１０１ａとの間の接触が、内部区画２０１が図１１に示される閉じた第１の状態を超えて逆方向に平行移動することを防止する。
【０１１９】
梱包ボックス２００に製品を充填たすために、内部区画２０１は、外側カバー２０２に対して少なくとも部分的に平行移動され、開口部２０４を少なくとも部分的に露出させ（例えば、図１２及び図１３に示す状態）、製品が開口部２０４を介してチャンバ内に配置される。
【０１２０】
製品は、梱包ボックス２００を製品の周りで折り曲げることによって梱包ボックス２００に収容され得る。１つの例示的な方法では、梱包ブランク１００の第１のボトムパネル１０３は水平に保たれる。次いで、製品が、第１のボトムパネル１０３上に置かれる。次に、内部区画２０１が、図１〜図４を参照して上述したステップに従って製品の周りに形成される。この段階の後、製品は少なくとも部分的に内部区画２０１内に配置される。次に、中央部分１０１ａ及び第２の端部分１０１ｃが内部区画２０１の周りに巻かれ、これにより、第２の端部分１０１ｃが、図５〜図８を参照して上述されたステップに従って第１の端部分１０１ｂ対して配置される。この段階の後、製品が、内部区画２０１及び連結部材２０３の一部によって形成されたチャンバ内に配置される。次に、外側カバー２０２が、図９〜図１１を参照して上述されたステップに従って形成され、内部区画を収容する。この段階の後で、製品が梱包ボックスのチャンバ内に収容される。或いは、梱包ブランク１００の第１のボトムパネル１０３は水平に保持されず、製品は、第１のトップパネル１０２及び第１のボトムパネル１０３の表面との接触によって、または外部手段によって、内部区画を形成した後、第１のボトムパネル１０３及び／または第２のボトムパネル１０５と接触して保持される。
【０１２１】
別の方法では、梱包ブランク１００は、図１〜図６に関連して上述したステップに従って折り曲げられ、次いで、製品は、内部区画２０１内に少なくとも部分的に配置される。次いで、図７〜図１１に関連して上述した梱包ボックスを形成する残りのステップが完了し、これにより、梱包ボックス２００のチャンバ内に製品を収容する。
【０１２２】
上記の説明は、本発明がどのようにして当業者によって直接的に実施され得るかを完全に明らかにすると思料するが、純粋に例示的であるとみなされるべきである。
【０１２３】
特に、当業者には理解されるように、可能な多くのバリエーションが存在する。例えば、矩形ではないパネル１０１を有することが可能である。特に、パネル１０１は正方形であり得る。また、パネル１０１が、第１の方向に細長くなく、第２の方向に細長い形状であり得る。
【０１２４】
それぞれ第２の方向に延在する、第１のトップパネル１０２；第１のボトムパネル１０３；  第２のトップパネル１０４；  第２のボトムパネル１０５の縁部１０２ｂ、１０２ｃ；  １０３ｂ、１０３ｃ；  １０４ｂ、１０４ｃ；  １０５ｂ、１０５ｃそれぞれは、様々な形状及びサイズにされ得る。これらの縁部は互いに同一でもよく、またはかなり異なる形状を有してもよい。ボックスが実質的な隙間なしに形成されるところに対応する縁部が好ましい。縁部は、曲線、直線、または、多角形であり得るが、曲線の縁部が、中央部分１０１ａの巻きと、閉じた第１の状態と開いた第２の状態との間の移行と、を最も助けると考えられる。縁部１０３ｃ及び１０３ｂ、１０２ｂの特定の形態は、梱包ボックス２００が閉じた第１の状態にあるときに、開口可能な側及び閉じた側それぞれでの連結部材２０３における湾曲を画定し得る。縁部１０３ｃは、閉じた第１の状態及び第２の開いた状態の両方において、開口可能な側の連結部材２０３の湾曲を画定し得る。しかしながら、連結部材２０３が縁部１０３ｃ、１０３ｂ、１０２ｂのすべてまたはいずれかに当接することは必須ではない。このような実施形態では、連結部材２０３は、開口可能な側で第１のボトムパネル１０３の表面上に当接する、かつ／または、閉口側で第１のトップパネル１０２と第１のボトムパネル１０３との間で行き来し得る。このような実施形態では、第１の方向におけるパネル１０１の長さは、図１に関して示され説明された長さよりも小さくてもよい。
【０１２５】
第１のトップパネルタブ１０６及び第１のボトムパネルタブ１０７は、互いに嵌合するように形状化された縁部１０６ｂ、１０７ｂを有していなくてもよい。第１のトップパネルタブ１０６及び第１のボトムパネルタブ１０７は、第１のトップパネルタブ１０６及び第１のボトムパネルタブ１０７の表面が、第２のトップパネルタブ１０８及び第２のボトムパネルタブ１０９と同様の方法で、互いに接触するようになるように形状化及び寸法付けされ得る。これにより、第１のトップパネルタブ１０６及び第１のボトムパネルタブ１０７の表面は、互いに接着され得る。
【０１２６】
パネル１０１は、第１の方向に関して順に配置された第１の半体及び第２の半体を有し、第１の半体は、第１の端部分１０１ｂを有するパネル１０１の半分に相当し、第２の半体は、第２の端部分１０１ｃを有するパネル１０１の半分に相当する。上述した実施形態では、パネル１０１は、少なくとも第２の方向においてパネルを横切る折り曲げ線を有さない。しかしながら、別の実施形態では、パネル１０１は、第２の方向に延在する折り曲げ線を有し得る。例えば、パネル１０１の第１の半体は、第２の方向に延在する１つ以上の折り曲げ線を有し得る。特に、パネル１０１の中央部分１０１ａの第１の半体に折り曲げ線を付ける。この実施形態では、連結部材２０３の開口可能端部側は、連結部材２０３が２つの直角を画定するように２つの折り曲げ線を有し得る。
【０１２７】
第１のボトムパネル１０３、第２のトップパネル１０４、及び、第２のボトムパネル１０５は、異なるサイズ及び形状であり得る。例えば、第２のボトムパネル１０５は、第１のボトムパネル１０３の全領域と重ならないように、第１のボトムパネル１０３よりも小さくてもよい。
【０１２８】
上記の全ては、本開示の範囲に完全に含まれ、上に開示された特定の組み合わせに限定されることなく、上記の特徴の１つまたは複数の組み合わせが適用される代替の実施形態の基礎を形成すると考えられる。
【０１２９】
本開示のボックスは、手作業、機械補助または自動化形式に対応するブランクから容易に組み立てられ、材料の使用において経済的である。さらに、梱包ボックスは、改善された魅力と便利なオープニングシーケンスをもたらす。
【０１３０】
これに照らして、本開示の教示を実施する多くの代替案が存在する。当業者は、本発明の範囲内のその状況及び要件に適合するように上述の開示を修正及び適合させることができ、開示されているか、または、このことは、この技術における当業者の一般的な知識に照らして明らかである。そのような等価物、改変物または適合物は全て本発明の範囲内に含まれ、定義され請求される。
【符号の説明】
【０１３１】
１００  梱包ブランク
１０１  パネル
１０１  トップ縁部
１０２  第１のトップパネル
１０３  第１のボトムパネル
１０４  第２のトップパネル
１０５  第２のボトムパネル
１０５  第２のパネル
１０６  第１のトップパネルタブ
１０７  第１のボトムパネルタブ
１０８  第２のトップパネルタブ
１０９  第２のボトムパネルタブ
２００  梱包ボックス
２０１  内部区画
２０２  外側カバー
２０３  連結部材
２０４  開口部
【図１】
2018521920.tif 000003
【図２】
2018521920.tif 000004
【図３】
2018521920.tif 000005
【図４】
2018521920.tif 000006
【図５】
2018521920.tif 000007
【図６】
2018521920.tif 000008
【図７】
2018521920.tif 000009
【図８】
2018521920.tif 000010
【図９】
2018521920.tif 000011
【図１０】
2018521920.tif 000012
【図１１】
2018521920.tif 000013
【図１２】
2018521920.tif 000014
【図１３】
2018521920.tif 000015
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
連続した梱包ブランクから形成された梱包ボックスであって、前記梱包ボックスは、開口可能端部と閉口端部とを有し、
製品を収容するための第１の空間を画定する内部区画と、
前記内部区画を収容するために第２の空間を画定する外側カバーと、
内部区画と外側カバーとを連結する連結部材と、
を備え、
前記内部区画は前記第２の空間内に配置され、
前記内部区画が、前記外側カバー内に実質的に収容された閉じた第１の状態と、前記内部区画が前記開口可能端部上で前記外側カバーを部分的に通過して延在する開いた第２の状態と、の間で滑動するように構成され、かつ、
前記連結部材は、前記内部区画が外側カバーから完全に取り外されるのを防止するように構成されており、
前記連結部材は、前記閉口端部上で湾曲するように構成されることを特徴とする梱包ボックス。
【請求項２】
前記内部区画が、
前記連続した梱包ブランクのパネルの第１の端部分と、
前記第１の端部分の両側に配置され、それぞれがそれぞれの折り曲げ線によって第１の端部分に連結された、前記連続した梱包ブランクの第１のトップパネル及び前記連続した梱包ブランクの第１のボトムパネルと、
前記第１のトップパネルと前記第１のボトムパネルそれぞれとそれぞれの折り曲げ線によってそれぞれ連結されている、前記連続した梱包ブランクの第１のトップパネルタブ及び前記連続した梱包ブランクの第１のボトムパネルタブと、
を備え、
前記第１のトップパネルタブと前記第１のボトムパネルタブとが互いに係合される、請求項１に記載の梱包ボックス。
【請求項３】
前記内部区画は、前記梱包ボックスの前記開口可能端部と前記閉口端部とに開口可能端部を有する、請求項１または２に記載の梱包ボックス。
【請求項４】
前記連結部材は、前記開口可能端部で前記第１のトップパネルの縁部に当接せず、これにより開口部を画定する、請求項２または３に記載の梱包ボックス。
【請求項５】
前記開口可能端部上の前記第１のトップパネル及び前記第１のボトムパネルの縁部は、互いに整列されていない、請求項２、３または４に記載の梱包ボックス。
【請求項６】
前記開口可能端部の前記第１のトップパネルの縁部は凹形状であり、前記開口可能端部の前記第１のボトムパネルの縁部は凸形状である、請求項５に記載の梱包ボックス。
【請求項７】
前記凹形状及び前記凸形状は半円形である、請求項６に記載の梱包ボックス。
【請求項８】
前記連結部材は、前記開口可能端部で前記第１のボトムパネルの縁部に当接し、前記開口可能端部で前記第１のトップパネルの縁部に当接せず、これにより開口部を画定する、請求項２〜７のいずれか一項に記載の梱包ボックス。
【請求項９】
前記連結部材は、前記開口可能端部上の前記第１のボトムパネルの縁部の長さ、前記第１のボトムパネルタブの縁部と前記第１のボトムパネルとの間の折り曲げ線の長さ、及び、前記閉口端部上の前記第１のボトムパネルの縁部の長さの合計と等しい、前記内部区画と前記連結部材との間の連結部と前記外側カバーと前記連結部材との間の連結部とからの長さを有する、請求項２〜８のいずれか一項に記載の梱包ボックス。
【請求項１０】
前記外側カバーは、
前記連続した梱包ブランクのパネルの第２の端部分と、
前記第２の端部分の両側に配置され、それぞれがそれぞれの折り曲げ線によって前記第２の端部分と連結されている、前記連続した梱包ブランクの第２のトップパネル及び前記連続した梱包ブランクの第２のボトムパネルと、
前記第２のトップパネルと前記第２のボトムパネルそれぞれとそれぞれの折り曲げ線によってそれぞれ連結されている、前記連続した梱包ブランクの第２のトップパネルタブ及び前記連続した梱包ブランクの第２のボトムパネルタブと、
を備え、
前記第２のトップパネルタブと前記第２のボトムパネルタブとが互いに係合される、請求項１〜９のいずれか一項に記載の梱包ボックス。
【請求項１１】
前記外側カバーは、
前記連続した梱包ブランクのパネルの第２の端部分；
前記第２の端部分の両側に配置され、それぞれがそれぞれの折り曲げ線によって前記第２の端部分と連結されている、前記連続した梱包ブランクの第２のトップパネル及び前記連続した梱包ブランクの第２のボトムパネル；及び、
前記第２のトップパネルと前記第２のボトムパネルそれぞれとそれぞれの折り曲げ線によってそれぞれ連結されている、前記連続した梱包ブランクの第２のトップパネルタブ及び前記連続した梱包ブランクの第２のボトムパネルタブ；
を備え、
前記第２のトップパネルタブと前記第２のボトムパネルタブとが互いに係合し、
前記開口可能端部上の前記第２のトップパネル及び前記第１のボトムパネルの縁部は、相互に揃えられている、請求項２〜９のいずれか一項に記載の梱包ボックス。
【請求項１２】
前記第１のボトムパネル、前記第２のトップパネル、及び、前記第２のボトムパネルは、同一の形状である、請求項１１に記載の梱包ボックス。
【請求項１３】
前記外側カバーは、前記梱包ボックスの前記開口可能端部及び前記閉口端部に開口端部を有する、請求項１０〜１２のいずれか１項に記載の梱包ボックス。
【請求項１４】
前記連結部材は、前記第１の端部分に隣接しかつ前記第２の端部分に隣接する前記連続した梱包ブランクのパネルの中央部分として形成される、請求項１１〜１３のいずれか一項に記載の梱包ボックス。
【請求項１５】
前記連結部材は、開閉可能な側の前記第１の端部分に連結され、かつ、閉口側の前記第２の端部分に連結される、請求項１４に記載の梱包ボックス。
【請求項１６】
前記梱包ボックスは、前端部と後端部とを有し、前記連結部材は、前記後端部の前記内部区画に連結され、かつ、前記後端部の前記外側カバーと連結する、請求項１〜１５のいずれか一項に記載の梱包ボックス。
【請求項１７】
前記連結部材は、前記前端部の前記内部区画と前記前端部の前記外側カバーとの間で行き来する、請求項１６に記載の梱包ボックス。
【請求項１８】
前記中央部分が弾性的に湾曲可能である、請求項１〜１７のいずれか一項に記載の梱包ボックス。
【請求項１９】
前記内部区画と前記連結部材との間の連結部と、前記外側カバーと前記連結部材との間の連結部と、からの連結部材の長さは、前記閉口端部から前記開口可能端部までの前記内部区画の長さと、前記閉口端部と前記開口可能端部を結合する線に垂直な方向における前記内部区画の幅の２倍長さと、の合計と少なくとも等しい、請求項１〜１８のいずれか一項に記載の梱包ボックス。
【請求項２０】
梱包ボックスを形成するための連続した梱包ブランクであって、
第１の方向に対して順に配置された第１の端部分、中央部分、及び、第２の端部分を有するパネル；
前記第１の端部分の両側に配置され、それぞれがそれぞれの折り曲げ線によって前記第１の端部分と連結された、第１のトップパネル及び第１のボトムパネルであって、前記第１のトップパネルと前記第１のボトムパネルそれぞれは、前記第１の方向に垂直な第２の方向に対して、それぞれの折り曲げ線から離れるように延在する、第１のトップパネル及び第１のボトムパネル；
それぞれの折り曲げ線によって前記第１のトップパネル及び前記第１のボトムパネルそれぞれと連結されている第１のトップパネルタブ及び第１のボトムパネルタブであって、前記第１のトップパネルタブ及び前記第１のボトムパネルタブそれぞれは、前記第２の方向に対してそれぞれの折り曲げ線から離れるように延在する、第１のトップパネルタブ及び第１のボトムパネルタブ；
前記第２の端部分の両側に配置され、それぞれがそれぞれの折り曲げ線によって前記第２の端部分と連結された、第２のトップパネル及び第２のボトムパネルであって、前記第２のトップパネルと前記第２のボトムパネルそれぞれは、前記第２の方向に対してそれぞれの折り曲げ線から離れるように延在する、第２のトップパネル及び第２のボトムパネル；及び、
それぞれの折り曲げ線によって前記第２のトップパネル及び前記第２のボトムパネルそれぞれと連結されている第２のトップパネルタブ及び第２のボトムパネルタブであって、前記第２のトップパネルタブ及び前記第２のボトムパネルタブそれぞれは、前記第２の方向に沿ってそれぞれの折り曲げ線から離れるように延在する、第１のトップパネルタブ及び第１のボトムパネルタブ；
を備え、
前記第１の方向における前記パネルの長さは、第１のボトムパネルと第１の端部分との間の折り曲げ線の長さ、前記第２の方向における前記第１のボトムパネルの幅の２倍の長さ、及び、前記第１のボトムパネルタブと前記第１のボトムパネルとの間の折り曲げ線の長さの合計より大きいことを特徴とする連続した梱包ブランク。
【請求項２１】
前記第１の方向における前記パネルの長さは、前記第１のボトムパネルと前記第１の端部分との間の折り曲げ線の長さの２倍の長さ、前記第２の方向における前記第１のボトムパネルの幅の２倍の長さ、及び、前記第１のボトムパネルタブと前記第１のボトムパネルとの間の折り曲げ線の長さの合計以上である、請求項２０に記載の連続した梱包ブランク。
【請求項２２】
前記第１のボトムパネルタブと前記第１のボトムパネルとの間の折り曲げ線は、前記第１のボトムパネルと前記第１の端部分との間の折り曲げ線と同一の長さであり、第１の方向における前記パネルの長さは、前記第１のボトムパネルと前記第１の端部分との間の折り曲げ線の３倍の長さと、前記第２の方向における前記第１のボトムパネルの幅の２倍の長さと、の合計以上である、請求項２０または２１に記載の連続した梱包ブランク。
【請求項２３】
前記第１の方向における前記パネルの長さは、前記第１のボトムパネルの周囲長と、前記第１のボトムパネルと前記第１の端部分との間の折り曲げ線の長さと、の合計以下である、請求項２０、２１または２２に記載の連続した梱包ブランク。
【請求項２４】
前記第２の方向における前記第１のトップパネルタブ及び前記第１のボトムパネルタブの幅の合計は、前記第２の方向における前記パネルの幅に少なくとも等しい、請求項２０〜２３のいずれか一項に記載の連続した梱包ブランク。
【請求項２５】
前記第２の方向における前記第２のトップパネルタブ及び前記第２のボトムパネルタブの幅の合計は、前記第２の方向における前記パネルの幅に少なくとも等しい、請求項２０〜２４のいずれか一項に記載の連続した梱包ブランク。
【請求項２６】
前記第１のトップパネルタブの長さと前記第１の方向における前記第１のボトムパネルタブの長さとは同一である、請求項２０〜２５のいずれか一項に記載の連続した梱包ブランク。
【請求項２７】
前記第２のトップパネルタブの長さと前記第１の方向における前記第２のボトムパネルタブの長さは同一である、請求項２０〜２６のいずれか一項に記載の連続した梱包ブランク。
【請求項２８】
前記第１のボトムパネル、前記第２のトップパネル、及び。前記第２のボトムパネルは、同一の形状である、請求項２０〜２７のいずれか一項に記載の連続した梱包ブランク。
【請求項２９】
前記第１のボトムパネルと前記第１の端部分との間の折り曲げ線の長さ、前記第１のボトムパネルタブと前記第１のボトムパネルとの間の折り曲げ線の長さ、前記第２のボトムパネルと前記第２の端部分との間の折り曲げ線の長さ、及び、前記第２のボトムパネルタブと前記第２のボトムパネルとの間の折り曲げ線の長さは、同一である、請求項２０〜２８のいずれか一項に記載の連続した梱包ブランク。
【請求項３０】
前記パネルは、前記第１の方向に関して順に配置された第１の半体及び第２の半体を有し、前記第１の半体は、前記第１の端部分を有する前記パネルの半分に相当し、前記第２の半体は、前記第２の端部分を有する前記パネルの半分に相当し、前記第２の半体は、前記第２の方向に延在する折り曲げ線を一切有さない、請求項２０〜２９のいずれか一項に記載の連続した梱包ブランク。
【請求項３１】
前記パネルは、前記第２の方向に延在する折り曲げ線を一切有さない、請求項２０〜３０のいずれか一項に記載の連続した梱包ブランク。
【請求項３２】
前記パネルは、第１の方向に関して順に配置された第１の半体及び第２の半体を有し、前記第１の半体は、前記第１の端部分を有する前記パネルの半分に相当し、前記第２の半体は、前記第１の端部分を有する前記パネルの半分に相当し、前記第１の半体は、前記第２の方向に延在する１つ以上の折り曲げ線を有する、請求項２０〜３０のいずれか一項に記載の連続した梱包ブランク。
【請求項３３】
前記中央部分に向く、前記第１のトップパネルの縁部と前記第１のボトムパネルの縁部とは、互いに整列されていない、請求項２０〜３２のいずれか一項に記載の連続した梱包ブランク。
【請求項３４】
前記中央部分から外方に向く、前記第１のトップパネルの縁部と前記第１のボトムパネルの縁部とは、互いに整列されている、請求項２０〜３３のいずれか一項に記載の連続した梱包ブランク。
【請求項３５】
前記中央部分から外方に向く、前記第２のトップパネルの縁部と前記第２のボトムパネルの縁部とは、互いに整列されている、請求項２０〜３４のいずれか一項に記載の連続した梱包ブランク。
【請求項３６】
前記中央部分に向く、前記第２のトップパネルの縁部と前記第２のボトムパネルの縁部とは、互いに整列されている、請求項２０〜３５のいずれか一項に記載の連続した梱包ブランク。
【請求項３７】
前記中央部分に向く前記第１のボトムパネルの縁部は凹形状であり、前記中央部分に向く前記第１のトップパネルの縁部は凸形状である、請求項２０〜３６のいずれか一項に記載の連続した梱包ブランク。
【請求項３８】
前記凹形状及び凸形状は半円形である、請求項３７に記載の連続した梱包ブランク。
【請求項３９】
前記第１のトップパネルタブ及び前記第１のボトムパネルタブは、互いに係合可能な形状であり、前記第２のトップパネルタブ及び前記第２のボトムパネルタブは、互いに係合可能な形状である、請求項２０〜３８のいずれか一項に記載の連続した梱包ブランク。
【請求項４０】
前記第１のトップパネルタブ及び前記第１のボトムパネルタブの前記第２の方向における折り曲げ線に対向する縁部は、相互に噛合するような形状である、請求項２０〜３９のいずれか一項に記載の連続した梱包ブランク。
【請求項４１】
前記パネルは前記第１の方向に細長い、請求項２０〜４０のいずれか一項に記載の連続した梱包ブランク。
【請求項４２】
前記第１の方向における前記パネルの長さは、前記第２の方向における前記パネルの幅の２倍以上である、請求項２０〜４１のいずれか一項に記載の連続した梱包ブランク。
【請求項４３】
前記第１の方向における前記パネルの長さは、前記第２の方向における前記パネルの幅の３倍である、請求項２０〜４２のいずれか一項に記載の連続した梱包ブランク。
【請求項４４】
前記第１のトップパネル、前記第１のボトムパネル、前記第２のトップパネル、及び、前記第２のボトムパネルは、前記第１の方向に細長い、請求項２０〜４３のいずれか一項に記載の連続した梱包ブランク。
【請求項４５】
前記第１の方向における、前記第１のトップパネルの長さ、前記第１のボトムパネルの長さ、前記第２のトップパネルの長さ、及び、前記第２のボトムパネルの長さは、それぞれ、前記第２の方向における、前記第１のトップパネルの幅、前記第１のボトムパネルの幅、前記第２のトップパネルの幅、及び、前記第２のボトムパネルの幅の２倍の以上である、請求項２０〜４４のいずれか一項に記載の連続した梱包ブランク。
【請求項４６】
前記第１の方向における前記中央部分の長さは、前記中央部分に向く前記第１のボトムパネルの縁部の長さ、前記第１のボトムパネルタブと前記第１のボトムパネルとの間の折り曲げ線の長さ、及び、前記中央部分から外方に向く前記第１のボトムパネルの縁部の長さの合計と等しい、請求項２０〜４５のいずれか一項に記載の連続した梱包ブランク。
【請求項４７】
請求項２０〜４６のいずれか一項に記載の連続した梱包ブランクから梱包ボックスを形成する方法であって、
前記第１のトップパネルタブと前記第１のボトムパネルタブとを係合させることによって内部区画を形成するステップ；
前記第２の端部分が前記第１の端部分に当接するように前記内部区画の周りに前記中央部分及び前記第２の端部分を巻くステップ；及び、
第２のトップパネルタブと第２のボトムパネルタブを係合させることによって内部区画を包囲する外側カバーを形成するステップ；
を備える方法。
【請求項４８】
前記内部区画を形成するステップは、
第１のトップパネルと第１の端部との間の折り曲げ線に沿って、かつ、第１のボトムパネルと第１の端部との間の折り曲げ線に沿って折り曲げるステップ；及び、
第１のトップパネルタブと第１のトップパネルとの間の折り曲げ線に沿って、かつ、第１のボトムパネルタブと第１のボトムパネルとの間の折り曲げ線に沿って折り曲げるステップ；
をさらに備える、請求項４７に記載の方法。
【請求項４９】
前記外側カバーを形成するステップは、
第２のトップパネルと第２の端部との間の折り曲げ線に沿って、かつ、第２のボトムパネルと第２の端部との間の折り曲げ線に沿って折り曲げるステップ；及び、
第２のトップパネルタブと第２のトップパネルとの間の折り曲げ線に沿って、かつ、第２のボトムパネルタブと第２のボトムパネルとの間の折り曲げ線に沿って折り曲げるステップ；
をさらに備える、請求項４７または４８に記載の方法。
【請求項５０】
前記第１のトップパネルタブ及び前記第１のボトムパネルタブの前記第２の方向における前記折り曲げ線に対向する縁部は、互いに噛み合うような形状であり、前記第１のトップパネルタブと前記第１のボトムパネルタブとを係合させるステップは、前記第１のトップパネルタブ及び前記第１のボトムパネルタブの第２の方向における折り曲げ線に対向する縁部を互いに噛合接触させるステップを備える、請求項４７、４８または４９に記載の方法。
【請求項５１】
前記中央部分は、第１の方向に対して順に配置された第１の半体及び第２の半体を有し、前記第１の半体は、前記第１の端部分に隣接する前記中央部分の半分に相当し、前記第２の半体は、前記第２の端部分に隣接する前記中央部分の半分に相当し、前記第２の半体は、前記第２の方向に延在する折り曲げ線を有さず、前記内部区画の周りに前記中央部分を巻くステップは、第２の方向に延在する折り曲げ線に沿って第２の半体を折り曲げるステップを備えない、請求項４７〜４９のいずれか一項に記載の方法。
【請求項５２】
請求項２０〜４６のいずれか一項に記載の連続した梱包ブランクから形成された梱包ボックスに製品を梱包する方法であって、
前記製品を前記第１のボトムパネルまたは前記第１のトップパネル上に配置するステップ；
前記第１のトップパネルタブ及び前記第１のボトムパネルタブを係合させることによって内部区画を形成するステップであって、これにより、前記製品が少なくとも部分的に内部区画内に配置される、ステップ；
前記第２の端部分が前記第１の端部分に当接するように前記内部区画の周りに前記中央部分及び前記第２の端部分を巻くステップ；及び、
前記第２のトップパネルタブ及び前記第２のボトムパネルタブを係合させることによって、内部区画を包囲する外側カバーを形成するステップ；
を備える方法。
【請求項５３】
前記内部区画を形成するステップの間、前記製品が配置される前記第１のボトムパネルまたは前記第１のトップパネルは、水平に保たれる、請求項５２に記載の方法。
【請求項５４】
前記内部区画を形成し、前記中央部分を巻くステップの間に、前記製品が置かれる前記第１のボトムパネルまたは前記第１のトップパネルが水平に保たれる、請求項５２に記載の方法。
【請求項５５】
前記内部区画を形成するステップ、前記中央部分を巻くステップ、前記外側カバーを形成するステップの間、前記製品が置かれる前記第１のボトムパネルまたは前記第１のトップパネルは水平に保たれる、請求項５２に記載の方法。
【請求項５６】
請求項２０〜４６のいずれか一項に記載の連続した梱包ブランクから形成された梱包ボックスに製品を梱包する方法であって、
前記第１のトップパネルタブと前記第１のボトムパネルタブとを係合させることによって内部区画を形成するステップ；
前記製品を少なくとも部分的に前記内部区画内に配置するステップ；
前記第２の端部分が前記第１の端部分に当接するように前記内部区画の周りに前記中央部分及び前記第２の端部分を巻くステップ；及び、
前記第２のトップパネルタブと前記第２のボトムパネルタブとを係合させることによって前記内部区画を包囲する外側カバーを形成するステップ；
を備える方法。
【請求項５７】
前記巻くステップは、２つの段階で実施され、前記製品を少なくとも部分的に前記内部区画内に配置するステップは、前記２つの段階の間に実施される、請求項５６に記載の方法。
【請求項５８】
第１の前記段階は、前記中央部分を前記開口可能端部側に巻くステップを備える、請求項５７に記載の方法。
【国際調査報告】
2018521920.tif 000016
2018521920.tif 000017